(57)【要約】【課題】近接センサを接眼部に搭載し、回動部の回転操作によって視度を調整するファインダ装置において、防塵防滴構造を実現すること。【解決手段】表示パネルに表示される画像を鏡筒に保持された接眼レンズを介して視認可能にする電子ビューファインダ装置において、前記表示パネルはパネル制御基板とともにベース部に固定され、前記電子ビューファインダは視度調整のために前記表示パネルと前記鏡筒間の距離を調整する機構を備えており、前記鏡筒部に固定された接眼部は近接センサを実装した近接センサ制御基板を備えており、前記近接センサ制御基板は前記パネル制御基板とケーブルを介して電気的接続をしており、前記ケーブルが前記鏡筒肉厚部に設けられた通し穴を挿通することを特徴とする。【選択図】図１
2017049493.tif 000002
【特許請求の範囲】
【請求項１】
表示パネルに表示される画像を鏡筒に保持された接眼レンズを介して視認可能にする電子ビューファインダ装置において、
前記表示パネルはパネル制御基板とともにベース部に固定され、
前記電子ビューファインダは視度調整のために前記表示パネルと前記鏡筒間の距離を調整する機構を備えており、
前記鏡筒部に固定された接眼部は近接センサを実装した近接センサ制御基板を備えており、
前記近接センサ制御基板は前記パネル制御基板とケーブルを介して電気的接続をしており、
前記ケーブルが前記鏡筒肉厚部に設けられた通し穴を挿通する
ことを特徴とする電子ビューファインダ装置。
【請求項２】
前記通し穴は矩形であり、矩形形状の長辺の中点と前記鏡筒中心を結ぶ仮想線が前記長辺と概して直交することを特徴とする請求項１に記載の電子ビューファインダ装置。
【請求項３】
前記近接センサ制御基板には前記ケーブルを挿入するためのコネクタが実装されており、
前記コネクタへのケーブル挿入方向は前記通し穴貫通方向と一致していることを特徴とする請求項１又は請求項２に記載の電子ビューファインダ装置。
【請求項４】
前記通し穴および前記コネクタのケーブル挿入口は、通し穴貫通方向における投影位置が概して一致していることを特徴とする請求項１乃至請求項３の何れか一項に記載の電子ビューファインダ装置。
【発明の詳細な説明】
【技術分野】
【０００１】
本発明は、電子ビューファインダ装置に関する。
【背景技術】
【０００２】
ビデオカメラなどの撮像装置として、電子ビューファインダ装置を備えたものが提供されている。電子ビューファインダ装置はカメラ本体の撮像素子によって生成された信号を画像として表示する表示パネルと、表示パネルによって表示された画像を視認可能にする光学系と、それら表示装置・光学系を収容する筐体外装を備えている。また、使用者の接眼状態を検知するための手段を有し、接眼状態により表示パネルの状態を切り替えることができる電子ビューファインダが提案されている（特許文献１参照）。
【０００３】
従来の電子ビューファインダ装置の構造としては、表示パネルと光学系の位置の調整操作のための回動リング部を備えたものがあり、接眼状態を検知するための手段としての近接センサは光学系とともに位置調整操作により並進する接眼部に設けられるものが提供されている。表示パネルの表示を制御するためのパネル制御基板は表示パネルを保持するためのベース部に固定され、近接センサはフラットケーブル等によってパネル制御基板に電気的接続される。
【先行技術文献】
【特許文献】
【０００４】
【特許文献１】特開平９―１１３８１７号公報
【発明の概要】
【発明が解決しようとする課題】
【０００５】
しかしながら、従来の電子ビューファインダ装置においては、近接センサの信号を受けるためのパネル制御基板と近接センサを接続するためのフラットケーブルを挿通するための開口が回動リングと筐体外装に形成されることから、その開口から侵入した塵や水滴がファインダから視認される画像の品質を損なったり、装置としての誤動作を招いたりする可能性があった。また、近接センサが備えられた接眼部は、視度調整動作によって回動リングや筐体外装との位置状態が変化するため、開口部とフラットケーブルとの隙間をシールすることも難しかった。
【０００６】
本発明は、上記のような従来技術の問題点を解決するために提案されたものであり、近接センサを接眼部に搭載し、回動部の回転操作によって視度を調整するファインダ装置において、防塵防滴構造を実現することを目的とする。
【課題を解決するための手段】
【０００７】
上記の目的を達成するために、本発明に係る電子ビューファインダ装置は、
表示パネルに表示される画像を鏡筒に保持された接眼レンズを介して視認可能にする電子ビューファインダ装置において、前記表示パネルはパネル制御基板とともにベース部に固定され、前記電子ビューファインダは視度調整のために前記発光パネルと前記鏡筒間の距離を調整する機構を備えており、前記鏡筒部に固定された接眼部は近接センサを備えており、前記近接センサは前記パネル制御基板とケーブルを介して電気的接続をしており、
前記ケーブルが前記鏡筒肉厚部に設けられた通し穴を挿通することを特徴とする。
【発明の効果】
【０００８】
本発明によれば、近接センサを接眼側に搭載し、回動部の回転操作によって視度を調整するファインダ装置において、防塵防滴構造を実現することができる。
【図面の簡単な説明】
【０００９】
【図１】本発明の実施形態に係る電子機器として電子ビューファインダ装置の鏡筒収納状態の構造を示す概略断面図
【図２】本発明の実施形態に係る電子機器として電子ビューファインダ装置の鏡筒繰り出し状態の構造を示す概略断面図
【図３】鏡筒３の接眼部６側からの正面図
【図４】接眼部６と鏡筒３の構造を示す断面図
【発明を実施するための形態】
【００１０】
以下に、本発明の実施形態に係る電子機器を、図を用いて詳細に説明する。
【００１１】
図１は本発明の実施形態に係る電子機器の一例である電子ビューファインダ装置１００の概略断面図である。図１を基に電子ビューファインダ装置１００全体の構成を説明する。
【００１２】
電子ビューファインダ装置１００は、パネル制御基板１およびパネル制御基板１に電気的に接続された表示パネル２を備えており、表示パネル２に映された画像は鏡筒３に保持されたレンズ群を介して拡大もしくは縮小される。鏡筒３と回動リング４は多条ネジによって接続されており、鏡筒３には多条ネジのオス形状、回動リング４には多条ネジのメス形状が切られている。
【００１３】
なお、回動リング４が回動されると鏡筒３は光軸ａ方向に並進移動する。回動リング４の回動と、鏡筒３の並進はカム機構によって実現してもよい。鏡筒３の並進移動によって鏡筒３に保持されたレンズ群と表示パネル２間の距離が変化し、視度を調整することが出来る。ガイド５は回動リング４を光軸ａ中心に回動可能なように保持するものであり、回動リング４の回動量と光軸ａ方向への並進を規制する。また、ガイド５は鏡筒３が光軸ａ方向中心に回動するのを規制する。
【００１４】
鏡筒３に固定された接眼部６は接眼検知のための近接センサ６ａを備えている。近接センサ６ａはフラットケーブル７を介してパネル制御基板１のパネル制御コネクタ１ａに電気的に接続されており、パネル制御基板１は接眼非検知状態では表示パネル２を発光させず、接眼検知状態において表示パネル２を発光させる。図２は図１の状態から回動リングが回され鏡筒３が接眼部６側に移動し、繰り出された状態を示したものである。接眼部６は鏡筒３に固定されているため、鏡筒３とともに繰り出し移動する。
【００１５】
図１の状態では、フラットケーブル７には鏡筒３が繰り出し移動するための余長が表示パネル２と鏡筒３の間に存在するが、その余長によって表示パネル２から接眼部６への光線が遮られることがないよう最低限の長さとなっている。また、パネル制御コネクタ１ａにフラットケーブル７を挿入する方向は光軸ａ方向に対して垂直となっており、鏡筒３の繰り出し移動によりフラットケーブル７に張力が発生した場合でもパネル制御コネクタ１ａから抜脱される可能性は低い。
【００１６】
パネル制御基板１、表示パネル２およびガイド５はベース部８に固定される。また、筐体外装９も電子ビューファインダ装置１００全体を覆うようにベース部８に固定される。
【００１７】
実施例における電子ビューファインダ装置１００においては、各部品の接触部には防塵性・防滴性を高める工夫がなされており、パネル制御基板１や表示パネル２近傍にゴミ・水滴が混入するリスクを抑制している。筐体外装９とガイド５との隙間はＯリング１０によってシールされている。また、ガイド５と回動リング４の摺動部および、回動リング４と鏡筒３の螺合部にはグリスが塗布され、異物の混入を防ぐ構成となっている。
【００１８】
近接センサ６ａとパネル制御基板１はフラットケーブル７によって電気的に接続されるが、装置全体としての防塵・防滴性を損なわないためにフラットケーブル７はビューファインダ内部で挿通される必要がある。本実施例の電子ビューファインダ装置１００においては鏡筒３に設けられた通し穴３ａをフラットケーブル７が挿通する。図３は鏡筒３を接眼部６側から見た正面図である。通し穴３ａはフラットケーブル７が挿通可能な矩形の穴であり、鏡筒３の余分な肉厚部を貫通している。通し穴３ａの矩形は、矩形長辺の中点と鏡筒３の中心を結ぶ仮想線が矩形長辺に対して直角となる。つまり、矩形短辺が鏡筒の径方向に概して向くようになっており、通し穴を形成するために必要な鏡筒肉厚が最小限になるように考慮されている。
【００１９】
図４は接眼部６と接眼部６に固定された鏡筒３の構造を示した詳細断面図である。近接センサ６ａは近接センサ制御基板６ｂに実装され、近接センサ制御コネクタ６ｃも近接センサ制御基板６ｂの近接センサ６ａとは逆面に実装される。近接センサ制御コネクタ６ｃはフラットケーブル７の挿入方向が通し穴３ａの貫通方向と一致するケーブル挿入口を有している。また通し穴３ａ貫通方向において、近接センサ制御コネクタ６ｃのケーブル挿入口と通し穴３ａの投影位置は概して一致しており、フラットケーブル７は不必要に折れ曲がることなく近接センサ制御コネクタ６ｃから接眼部６を抜けてまっすぐ通し穴３ａを挿通する。
【００２０】
フラットケーブル７は接眼部６内で折れ曲がりがないので、張力がかかった状態で接眼部６内の部品に当接することがなく、視度調整操作による鏡筒３と接眼部６の並進移動によっても負荷がかかることが少ない。
【符号の説明】
【００２１】
１  パネル制御基板、１ａ  パネル制御コネクタ、２  表示パネル、３  鏡筒、
３ａ  通し穴、４  回動リング、５  ガイド、６  接眼部、６ａ  近接センサ、
６ｂ  近接センサ制御基板、６ｃ  近接センサ制御コネクタ、７  フラットケーブル、
８  ベース部、９  筐体外装、１０  Ｏリング、１００  電子ビューファインダ装置
【図１】
2017049493.tif 000003
【図２】
2017049493.tif 000004
【図３】
2017049493.tif 000005
【図４】
2017049493.tif 000006